(57)【要約】【課題】高い安定性を備えるマッサージ機を提供する。【解決手段】ケーシング２０上に凹部２３が設けられ、凹部２３内にはモータ３０が設置される孔２５が設けられ、偏心軸３４などの部材が設けられたモータ３０が凹部２３に固定され、凹部２２周囲には若干のゴム柱５０が設置され、モータ３０上方には振動板４０が設置され、振動板４０上にはマッサージシート６０が設置され、ゴム柱５０の上方はマッサージシート６０の下方周縁に設置されることにより、モータ３０は安定的にケーシング２０上に接合され、モータ３０の運転時に発生する振動はケーシング２０によって吸収および伝導され、また、ケーシング２０の凹部２３がモータ３０の外周まで延伸し、適当な隙間を形成し、モータ３０下方から吸入された空気が有効的にモータ３０の温度を下げる。【選択図】  図２
0003121243.tif 000002
【実用新案登録請求の範囲】
【請求項１】
ケーシング上に凹部が設けられ、前記凹部内には孔が設けられ、前記凹部内には偏心運動および振動を提供するモータが設置され、前記凹部の周囲にはゴム柱が設置され、前記モータ上方には振動板が設置され、前記振動板上にはマッサージシートが設置され、前記ゴム柱は前記振動板の下方に設置され、
上述の構造によって前記モータは安定的にケーシング上に接合され、前記モータの運転時に発生する振動はケーシングによって吸収および伝導されることを特徴とするマッサージ機の構造。
【請求項２】
前記ケーシングは、縦向きの壁体を備え、前記壁体の下方には底台が設置されることを特徴とする請求項１記載のマッサージ機の構造。
【請求項３】
前記凹部の周縁上には、ゴム柱が設置されることを特徴とする請求項１記載のマッサージ機の構造。
【請求項４】
前記底台上には、通気孔が設けられることを特徴とする請求項２記載のマッサージ機の構造。
【請求項５】
前記ケーシング上の凹部の孔と設置されたモータの外部表面との間には隙間が形成されることを特徴とする請求項１記載のマッサージ機の構造。
【請求項６】
前記ケーシング上には、偏心軸を備えるモータが設置されることを特徴とする請求項１記載のマッサージ機の構造。
【請求項７】
前記モータの上方には、振動板およびマッサージシートが設置されることを特徴とする請求項６記載のマッサージ機の構造。
【請求項８】
前記振動板の下方には、ゴム柱が設置されることを特徴とする請求項６記載のマッサージ機の構造。
【請求項９】
前記凹部の孔の内縁は、下向きにモータ周囲まで延伸することを特徴とする請求項１記載のマッサージ機の構造。
【請求項１０】
前記凹部の孔は、下向きに底台の凹溝内まで延伸することを特徴とする請求項９記載のマッサージ機の構造。
【考案の詳細な説明】
【技術分野】
【０００１】
本考案はマッサージ機の構造に関し、特に安定した運転を行うことができる振動式マッサージ機の構造に関する。
【背景技術】
【０００２】
社会の発展により人々の生活は多忙なものとなっており、マッサージ機を使用して疲労回復、ストレス解消を行う人が増えている。
【０００３】
従来技術によるマッサージ機においては、特許文献１、特許文献２および特許文献３などがある。それらは振動式のマッサージ機であり、足の裏、背部などのマッサージを行う。その構造は、本体内部にモータが設置され、モータ上には偏心軸が設けられ、本体上部には振動板が設けられ、振動板の下方周縁には若干のゴム柱が設置され、振動板上にはマッサージシートが覆設され、振動板底部の中央下方はモータの偏心軸上に枢設される構造となっており、モータが振動板およびマッサージシートを駆動して人体へのマッサージを行う。
【０００４】
図１は従来技術による典型的なマッサージ機の構造を示し、底台Ａ上に固定フレームＢが設けられ、固定フレームＢ上には偏心軸を備えるモータＣが設置され、固定フレームＢの上方周縁上には若干のゴム柱Ｄが設置され、上述の構造をケーシングＥが覆い、モータＣ上方には振動板ＦおよびマッサージシートＧが設置される。
【０００５】
上述のマッサージ機の欠点は、偏心軸等が設けられたモータＣが高速で振動板Ｆを振動させる過程において、底台Ａ上に設置されるコ型の固定フレームＢが次第に傾き、モータＣと振動板Ｆとの間の接触状態が次第に不安定になるという点にあり、この状態は底台Ａの位置が傾斜したときさらに拡大しやすく、それによって騒音が大きくなり、振動も不安定なものとなる。
【０００６】
従来技術によるマッサージ機はモータＣが設置される固定フレームＢを安定的で強固なものにするために、金属溶接によって構成されており、この方式では高品質で規格の整った固定フレームを大量生産することはできず、溶接過程で製造ミスが容易に発生し、モータＣを設置する過程においても誤差が発生し、モータＣの中心軸がずれてしまう状況が容易に発生する。従って、この従来技術における不安定性は構造設計上の問題によるものである。
【０００７】
通常、ケーシングＥは鋳型によって製造され、堅固な構造ではあるが、その機能は内部部材の保護のみである。
【特許文献１】台湾専利第３６２４８４号
【特許文献２】台湾専利第４４５８６３号
【特許文献３】台湾専利第Ｍ２４８４４２号
【考案の開示】
【考案が解決しようとする課題】
【０００８】
本考案の目的は、モータがケーシング上に設置され、モータと堅固なケーシングとが一体になることによって、モータが高速で回転するときも歪んだり、揺動したりせず、安定した運転を行うマッサージ機を提供することにある。
本考案のもう一つの目的は、堅固なケーシング上に若干のゴム柱が設置されることによって振動板の動作を安定させるマッサージ機を提供することにある。
【課題を解決するための手段】
【０００９】
上述の課題を解決するために、本考案は、下記の特徴を有するマッサージ機の構造を提供する。
１．請求項１に記載のマッサージ機の構造は、ケーシング上に凹部が設けられ、前記凹部内には孔が設けられ、前記凹部内には偏心運動および振動を提供するモータが設置され、前記凹部の周囲には若干のゴム柱が設置され、前記モータ上方には振動板が設置され、前記振動板上にはマッサージシートが設置され、前記ゴム柱は前記振動板の下方に設置され、上述の構造によって前記モータは安定的にケーシング上に接合され、前記モータの運転時に発生する振動はケーシングによって吸収および伝導されることを特徴とする。
２．請求項２に記載のマッサージ機の構造は、請求項１の場合において、前記ケーシングは、縦向きの壁体を備え、前記壁体の下方には底台が設置されることを特徴とする。
３．請求項３に記載のマッサージ機の構造は、請求項１の場合において、前記凹部の周縁上には、若干のゴム柱が設置されることを特徴とする。
４．請求項４に記載のマッサージ機の構造は、請求項２の場合において、前記底台上には、若干の通気孔が設けられることを特徴とする。
５．請求項５に記載のマッサージ機の構造は、請求項１の場合において、前記ケーシング上の凹部の孔と設置されたモータの外部表面との間には隙間が形成されることを特徴とする。
６．請求項６に記載のマッサージ機の構造は、請求項１の場合において、前記ケーシング上には、若干の偏心軸を備えるモータが設置されることを特徴とする。
７．請求項７に記載のマッサージ機の構造は、請求項６の場合において、前記モータの上方には、振動板およびマッサージシートが設置されることを特徴とする。
８．請求項８に記載のマッサージ機の構造は、請求項６の場合において、前記振動板の下方には、若干のゴム柱が設置されることを特徴とする。
９．請求項９に記載のマッサージ機の構造は、請求項１の場合において、前記凹部の孔の内縁は、下向きにモータ周囲まで延伸することを特徴とする。
１０．請求項１０に記載のマッサージ機の構造は、請求項９の場合において、前記凹部の孔は、下向きに底台の凹溝内まで延伸することを特徴とする。
【考案の効果】
【００１０】
本考案によるマッサージ機のケーシングは鋳型によって大量生産ができ、その厚さ、角度および設定点等を予め設置できるので、同一の製品の生産が可能である。また、モータがケーシング上に設置されており、湾曲したり、歪んだりする心配がなく、発生する振動は全て直接ケーシング全体および下方の底台によって吸収され、生産された製品は安定した動作を行うことができ、マッサージ効果も優れる。
モータが設置されるケーシングには縦方向の壁体が形成され、壁体とモータとの間には若干の隙間が形成されているので、モータ下方のファンが吸入した空気はモータの外部表面へと流れ、モータ運転時に発生する熱が迅速に外部に流出し、本体の安全性を高めることができる。
ケーシングの壁体は底台に定位され、壁体の末端の両側にはゴムシートが設置され、ケーシングと底台との接合をさらに安定させており、モータから発生する振動はゴムシートによって弱められる。
本考案のモータ装置がケーシングに設置される構造特徴を利用して、ケーシングをさらに変化に富んだ形状にすることができ、マッサージベッドやその他の製品を構成することができる。
【考案を実施するための最良の形態】
【００１１】
図２、３に示すように、本考案によるマッサージ機は底台１０、ケーシング２０、モータ３０および振動板４０を備え、ケーシング２０上には若干のゴム柱５０が設置され、振動板４０上にはマッサージシート６０が設置される。
【００１２】
底台１０には本考案が設置され、若干のねじ穴１１が設置されてケーシング体２０と接合される。しかし、この接合方式だけに限定されない（一種類の固定方式に限定されず、本技術は従来技術であるので更なる説明は行わない。）。底台１０上には凹部１２が設置され、その内部には若干の底台１０下方に連通した孔１３が設けられ、底台１０下方の空気の吸入を行い、本体内部の空気を流通させ、モータ３０から発生する熱（後述）の放熱を行う。底台１０の底部には若干の脚部１４が設置され、孔１３から空気が流通できるようにしている。
【００１３】
底台１０の周縁上にはゴムシート１５（または類似物）が設置され、ケーシング２０と底台１０とを安定的に接合し、緩衝効果を提供している（従来技術）。
【００１４】
ケーシング２０は、底台１０上に設置されるカバー状の構造体であり、支持台２１を備え、支持台２１の中間には凹部２２、２３が設置され、支持台２１の外周には縦壁２４が設置される。凹部２３の中間には孔２５が設置され、孔２５の周縁の凹部２３上には若干のねじ穴２６が設けられる。孔２５にはモータ３０の本体３１が設置され、モータ３０横の固定フレーム３２上の孔３３はねじ穴２６に対応し、モータ３０が安定的に凹部２３内に設置される（この固定方式に限定されず、溶接などの固定方式を採用できる。）。縦壁２４は支持台２１から外側に延伸して形成され、モータ３０または上方の振動板４０からの振動は底台１０上に伝導し、同時に本体内部の構成部材および制御回路などを保護する。凹部２２の周囲上には若干のゴム柱６０が設置される孔２７が設置され、ゴム柱６０によって振動板からの力の支持および分布が行われ、ゴム柱６０が受けた力はケーシング２０に吸収および伝導される。ケーシング２０の凹部２３とモータ３０との間には若干の隙間２８が設けられ、隙間２８によってモータ３０から発生する熱を帯びた空気が流出される。
【００１５】
モータ３０は凹部２３の孔２５内に架設され、モータ３０上方には偏心軸３４装置（この種の装置に限定されない。本技術は従来技術であり、本考案の範囲に含まれないので説明は行わない。）が設置される。モータ３０の本体３１の外側には若干の固定フレーム３２（従来技術）が設置され、固定フレーム３２上には孔３３が設けられる。孔３３は凹部２３上のねじ穴２６に対応しており、ねじなどによって接合され、モータ３０は安定的にケーシング２０の凹部２３上に固定される。モータ３０の下方にはファン３５（従来技術）が設置され、通気孔１３から本体底台１０底部の空気をケーシング２０内部へ導入し、本体内部の熱を冷却し、隙間２８から本体外部へと放出する。
【００１６】
振動板４０およびマッサージシート６０は従来技術による部材であり、本考案においては、振動板４０下方のゴム柱５０はケーシング２０の凹部２２上に設置される。
【００１７】
上述のように、本考案が従来技術によるものと違う点は、モータ３０装置がケーシング２０上に設置され、堅固なケーシング２０と下方の底台１０とが一体に接合されることによって、モータ３０自身が揺動したり、振動したりすることがなく、高い安定性を実現している点にある。
【００１８】
モータ３０が設置される凹部２３内縁から中空管状に壁体２９が延伸し、壁体２９とモータ３０の外部表面との間には若干の隙間７０が設けられ、隙間７０により、ファン３５によって導入された本体外部の空気が流通し、隙間７０に沿って上方から放出される。
【００１９】
図３に示すように、壁体２９は下方に向かって底台１０上の凹溝１６内まで延伸され、凹溝１６内には軟質物（例えばゴムシート１７）が設置され、壁体２９をさらに安定的に定位させることができ、壁体２９が振動したときでも、凹溝１６内で振動を弱めることができる。
【００２０】
本考案ではさらに少なくとも一つのモータ装置をマットフレーム８０上に設置し、モータ上方に少なくとも一つの振動板４０’、マッサージマット６０’およびゴム柱（図示せず）を設置することができ、異なる形態および異なる用途のマッサージ機を提供できる。
【００２１】
上述の詳細な説明は本考案の実施例を示すものであり、本考案の主旨を逸脱しない範囲における部分的な変更または修飾は本考案に含まれる。
【図面の簡単な説明】
【００２２】
【図１】従来技術によるマッサージ機を示す立体分解図である。
【図２】本考案によるマッサージ機を示す立体分解図である。
【図３】本考案によるマッサージ機を示す断面図である。
【図４】本考案によるマッサージ機のもう一つの実施例を示す斜視図である。
【符号の説明】
【００２３】
１０  底台
１１、２６  ねじ穴
１２、２２、２３  凹部
１３、２５、２７、３３  孔
１４  脚部
１５、１７  ゴムシート
１６  凹溝
２０  ケーシング
２１  支持台
２４  縦壁
２８、７０  隙間
２９  壁体
３０  モータ
３１  本体
３２  固定フレーム
３４  偏心軸
３５  ファン
４０、４０’振動板
５０  ゴム柱
６０、６０’マッサージシート
８０  マットフレーム
【図１】
0003121243.tif 000003
【図２】
0003121243.tif 000004
【図３】
0003121243.tif 000005
【図４】
0003121243.tif 000006